(57)【要約】【課題】ペットボトルや紙パック等の種々の容器の形状や大きさに対応して簡単に取り付けることができる汎用性の高い容器の把手装置を提供する。【解決手段】一端側の注ぎ口と他端側の底部を有する筒状容器の胴部周りに自在に撓みながら環状に巻き付けられるベルト１４と、ベルト１４を容器の胴部周りに環状に巻き付けた状態で保持させるように締結又は解除する締結装置１６と、ベルト１４に取付けられ、容器の筒芯軸方向を握り軸として設けられた把手部１８と、ベルト１４に取付けられて容器の胴部にあてがわれ、把手部１８をベルト１４と協働して容器の胴部側方に固定状に支持させる１個又は複数個のあてがい状支持部材２０と、を備えた容器の把手装置１０から構成される。【選択図】図１
0003159602.tif 000002
【実用新案登録請求の範囲】
【請求項１】
一端側の注ぎ口と他端側の底部を有する筒状容器の胴部周りに自在に撓みながら環状に巻き付けられるベルトと、
ベルトを容器の胴部周りに環状に巻き付けた状態で保持させるように締結又は解除する締結装置と、
ベルトに取付けられ、容器の筒芯軸方向を握り軸として設けられた把手部と、
ベルトに取付けられて容器の胴部にあてがわれ、ベルトと協働して把手部を容器の胴部側方に固定状に支持させる１個又は複数個のあてがい状支持部材と、を備えたことを特徴とする容器の把手装置。
【請求項２】
あてがい状支持部材は複数個がベルトに係合し、ベルトの長手方向に対する取付位置を変更可能に取付けられた請求項１記載の容器の把手装置。
【請求項３】
あてがい状支持部材は、容器の筒芯軸方向に長く形成された棒状部材からなる請求項２記載の容器の把手装置。
【請求項４】
あてがい状支持部材は、ベルトを貫通状に通係させる通係孔を有し、ベルトを通係孔に通係させながらベルトの長手方向に対する取付位置を変更可能とする請求項２又は３記載の容器の把手装置。
【請求項５】
あてがい状支持部材は、一部又は全部がベルトに対して着脱可能に設けられた請求項２ないし４のいずれかに記載の容器の把手装置。
【請求項６】
締結装置は、ベルトの一端に接続されるリング部材であって、ベルトを容器の胴部回りに環状に巻き付ける際にベルトの他端側をリング孔に通して折り返して係合させるリング部材と、
リング部材に係合させたベルトを締込み保持させる締込保持機構と、を含む請求項１ないし５のいずれかに記載の容器の把手装置。
【請求項７】
締込保持機構は、面ファスナからなり、
面ファスナは、ベルトの一つの面側に長手方向に直列して雄材と雌材とを形成させた請求項６記載の容器の把手装置。
【請求項８】
あてがい状支持部材は、容器の胴部の外周面との当接側に滑りにくい素材からなる弾性部が形成された請求項１ないし７のいずれかに記載の容器の把手装置。
【考案の詳細な説明】
【技術分野】
【０００１】
本考案は、例えば、飲料、酒類、調味料や油等の液状物等を入れたペットボトル、紙パック等の容器の把手装置に関する。
【背景技術】
【０００２】
容量が１．５〜２リットルといった比較的大型のペットボトルや紙パックは、容器のサイズが大きく重量も重いことから片手だけでは掴みにくく、両手で持って取り扱う場合が多い。特に、手の力の弱い高齢者、女性、子供又は怪我や病気で手が不自由な人の場合には、大きくて重い大型のペットボトルや紙パックを持ちにくく、不安定で手が滑って落としてしまったり、飲料等の内容物をコップ等に注ぐ際にこぼしたりしてしまう等の問題があった。さらに、ペットボトルや紙パック等は、厚みの薄い素材で形成されているため、手で持った際に変形しやすく、飲料や調味料等の内容物が注ぎ口から飛び出てこぼれてしまう場合もあった。一方、従来、ペットボトルを持ちやすくするための把手に関する技術が種々提案されている。例えば、特許文献１、２には、ペットボトルに着脱可能に取り付ける把手付のホルダーが開示されている。
【先行技術文献】
【特許文献】
【０００３】
【特許文献１】特開２００３−３１２６７２号公報
【特許文献２】特開平１１−２２７７７２号公報
【考案の概要】
【考案が解決しようとする課題】
【０００４】
特許文献１のペットボトルホルダーは、ペットボトルの首部に弾性変形により嵌着するＣ形状の横方向延在アーム部と、横方向延在アーム部に一体成形されている縦方向延在基部と、縦方向延在基部に一体成形された把手部と、ペットボトル胴部を抱え込み挟持する２腕アーム部と、を有しており、ペットボトルの首部と胴部に嵌着させて装着させるものであった。しかしながら、特許文献１のものでは、ペットボトルの大きさや胴部の横断面形状に対応させて２腕アーム部の大きさや形状を形成する必要があるので、１つのホルダーの形態では対応できる形状、大きさが限定されるおそれがあった。さらに、ペットボトルの首部と胴部に嵌着させる構成なので、ペットボトル専用のものであり、紙パック等の異なる形態の容器には広く利用できず、汎用性に劣る問題があった。
【０００５】
また、特許文献２のペットボトルホルダーでは、ペットボトルをその口部のみを露出した状態で収納する容体部と、これに取り付けられる把手部と、からなり、容体部の底部を開閉自在にした、容体部内に底部側からペットボトルを入れて閉鎖して装着させるものであった。しかしながら、この特許文献２では、ペットボトルを容体部内部に収容させるものであるから、そのペットボトルの形状及び大きさに応じて容体部を形成する必要がある結果、特許文献２でも１つのホルダーの形態では対応できる形状、大きさが限定されるものであった。さらに、容体部の形状は、ペットボトルの形状に大きく依存するので、紙パック等の異なる形態の容器には広く利用できず、汎用性に劣る問題があった。
【０００６】
本考案は、上記従来の課題に鑑みてなされたものであり、その一つの目的は、使用者が片手で握れる把手部をペットボトルや紙パック等の種々の容器の形状や大きさに対応して簡単に取り付けることができる汎用性の高い容器の把手装置を提供することにある。
【課題を解決するための手段】
【０００７】
上記課題を解決するために本考案は、一端側の注ぎ口１２ａと他端側の底部１２ｂを有する筒状容器１２の胴部１２ｃ周りに自在に撓みながら環状に巻き付けられるベルト１４と、ベルト１４を容器１２の胴部周りに環状に巻き付けた状態で保持させるように締結又は解除する締結装置１６と、ベルト１４に取付けられ、容器の筒芯軸方向を握り軸として設けられた把手部１８と、ベルト１４に取付けられて容器１２の胴部１２ｃにあてがわれ、把手部１８をベルト１４と協働して容器１２の胴部側方に固定状に支持させる１個又は複数個のあてがい状支持部材２０と、を備えたことを特徴とする容器の把手装置１０から構成される。比較的小型の容器の場合には、あてがい状支持部材２０の取付個数は１個でもよいが、容器が大きくなるほど取付個数を増加してもよい。あてがい状支持部材２０は、ベルトに対して固定的に取り付けてもよいが、後述のように取付位置を変更可能とすると実用性が高い。締結装置１６は、例えば、面ファスナ、バックルやホック等の留め金等その他任意の構成でもよい。
【０００８】
また、あてがい状支持部材２０は複数個がベルト１４に係合し、ベルトの長手方向に対する取付位置を変更可能に取付けられたこととしてもよい。複数のあてがい状部材２０は、全て同じ形状でもよいし、一部又は全部がそれぞれ異なる形状としてもよい。あてがい状支持部材２０の容器１２の胴部周り方向すなわちベルト長手方向の幅が狭い方が様々な形状の容器に対応して装着させやすい。
【０００９】
また、あてがい状支持部材２０は、容器１２の筒芯軸１２ｄ方向に長く形成された棒状部材３０からなることとしてもよい。
【００１０】
また、あてがい状支持部材２０は、ベルト１４を貫通状に通係させる通係孔３２を有し、ベルト１４を通係孔３２に通係させながらベルト１４の長手方向に対する取付位置を変更可能とすることとしてもよい。
【００１１】
また、あてがい状支持部材２０は、一部又は全部がベルト１４に対して着脱可能に設けられたこととしてもよい。
【００１２】
また、締結装置１６は、ベルト１４の一端１４ａに接続されるリング部材であって、ベルト１４を容器１２の胴部回りに環状に巻き付ける際にベルトの他端側１４ｂをリング孔２６に通して折り返して係合させるリング部材２２と、リング部材に係合させたベルト１４を締込み保持させる締込保持機構２４と、を含むこととしてもよい。
【００１３】
また、締込保持機構２４は、面ファスナからなり、面ファスナは、ベルトの一つの面側に長手方向に直列して雄材２８と雌材２９とを形成させたこととしてもよい。
【００１４】
また、あてがい状支持部材２０は、容器１２の胴部１２ｃの外周面との当接側に滑りにくい素材からなる弾性部３４が形成されたこととしてもよい。
【考案の効果】
【００１５】
本考案の容器の把手装置によれば、一端側の注ぎ口と他端側の底部を有する筒状容器の胴部周りに自在に撓みながら環状に巻き付けられるベルトと、ベルトを容器の胴部周りに環状に巻き付けた状態で保持させるように締結又は解除する締結装置と、ベルトに取付けられ、容器の筒芯軸方向を握り軸として設けられた把手部と、ベルトに取付けられて容器の胴部にあてがわれ、ベルトと協働して把手部を容器の胴部側方に固定状に支持させる１個又は複数個のあてがい状支持部材と、を備えたことから、自在に撓むベルトとあてがい状支持部材とにより把手部を、例えば、丸筒状、角筒状等その他任意の形状、サイズの様々な容器の種類を問わず確実にフィットさせて広く装着でき、高い汎用性の把持装置を提供できる。さらに、装着した状態では把手部を介して、高齢者、女性、子供、怪我人等であっても重い容器を片手で安定的に手軽にもつことができ、操作性を向上できる。また、把手部の容器側方への取付状態の安定性が高く、把手部を持った際にもふらついたり、又は容器の胴部を変形させて内容物を飛び出させるといった不具合もなく、使い勝手が良く実用性が高い。また、構造が簡単であり、低コストで製造できる。
【００１６】
また、あてがい状支持部材は複数個がベルトに係合し、ベルトの長手方向に対する取付位置を変更可能に取付けられた構成とすることにより、容器の形状に対応して複数のあてがい状支持部材を互いに近接させたり、離隔させたりさせながら自在に調整でき、容器の形状、大きさに限定されることなく確実な装着を行える。
【００１７】
また、あてがい状支持部材は、容器の筒芯軸方向に長く形成された棒状部材からなる構成とすることにより、種々の容器の形状に対応できる構造を保持しながら、ある程度広い面でのあてがい状態を確保でき、把手部の確実な支持状態を簡単な構成で実現できる。
【００１８】
また、あてがい状支持部材は、ベルトを貫通状に通係させる通係孔を有し、ベルトを通係孔に通係させながらベルトの長手方向に対する取付位置を変更可能とする構成とすることにより、簡単な構成でベルトへの取付位置を可変できる構成を実現できるとともに、ベルトへ取付けた状態でスライドさせながら簡単かつスムーズに位置変更でき、使い勝手が良い。
【００１９】
また、あてがい状支持部材は、一部又は全部がベルトに対して着脱可能に設けられた構成とすることにより、あてがい状支持部材を自在に着脱させながらベルトへの取付位置を変更することができる。また、容器の形状、大きさ等に応じてあてがい状支持部材のベルトへの取付け個数を増減して良好に装着することができる。
【００２０】
また、締結装置は、ベルトの一端に接続されるリング部材であって、ベルトを容器の胴部回りに環状に巻き付ける際にベルトの他端側をリング孔に通して折り返して係合させるリング部材と、リング部材に係合させたベルトを締込み保持させる締込保持機構と、を含む構成とすることにより、ベルトを容器に巻き付けた際に、リング部材とベルトとを係合させて確実にベルトを締め込むことができ、高齢者や子供等の力が弱いものでも簡単、確実に把手装置を容器に装着させることができる。
【００２１】
また、締込保持機構は、面ファスナからなり、面ファスナは、ベルトの一つの面側に長手方向に直列して雄材と雌材とを形成させる構成とすることにより、簡単な構造で、かつ簡単に着脱操作を行える締込保持機構を具体的に実現できる。さらに、面ファスナは無段階に調整して接続が行えるので、様々な形状、大きさの容器によりフィットして装着させることができる。
【００２２】
また、あてがい状支持部材は、容器の胴部の外周面との当接側に滑りにくい素材からなる弾性部が形成された構成とすることにより、容器の外周面に対して高摩擦力により滑り止め機能を発揮させるとともに、クッション性により容器の胴部の外周面が平面、曲面のいずれであっても密着状に当接させることができ、確実に装着状態を維持できる。
【図面の簡単な説明】
【００２３】
【図１】本考案の一実施形態に係る容器の把手装置の概略斜視図である。
【図２】図１の容器の把手装置のベルトを広げた状態で一部省略した正面図である。
【図３】図２の容器の把手装置のＡ−Ａ線断面図である。
【図４】図２の容器の把手装置のＢ−Ｂ線断面図である。
【図５】図１の容器の把手装置の作用説明図である。
【図６】図１の容器の把手装置の作用説明図である。
【図７】図１の容器の把手装置を容器に装着した状態の斜視図である。
【図８】図１の容器の把手装置を容器に装着した状態の平面図である。
【図９】図１の容器の把手装置を形態が異なる容器に装着した場合の平面図である。
【図１０】図１の容器の把手装置を形態が異なる容器に装着した場合の平面図である。
【図１１】図１の容器の把手装置の作用説明図である。
【図１２】図１の容器の把手装置の作用説明図である。
【図１３】あてがい状支持部材の他の形態の説明図である。
【考案を実施するための形態】
【００２４】
以下、添付図面を参照しつつ本考案の容器の把手装置の実施の形態について説明する。本考案の容器の把手装置は、例えば、水、お茶、ジュース、酒類等の飲料、醤油、みりん等の調味料、油、その他の飲食品類又は液体洗剤その他流動物等を収容したペットボトルや紙パック、ビン等の様々な容器に簡単に装着して、持ち運びや内容物の注ぎ操作等の使い勝手を向上できる把手装置である。図１ないし図５は、本考案に係る容器の把手装置の一実施形態を示している。図１、図２に示すように、本実施形態において、容器の把手装置１０は、容器１２に巻き付けられるベルト１４と、ベルト１４の締結装置１６と、把手部１８と、ベルト１４に取り付けられるあてがい状支持部材２０と、を備えている。
【００２５】
把手装置１０の装着対象となる容器１２は、例えば、一端側に注ぎ口１２ａが、他端側に底部１２ｂが設けられた筒状容器である。容器１２は、図７、図８又は図９や図１０に示すように、例えば、周知の角型や丸型のペットボトル、角筒状の紙パック等からなる。具体的には、図７、図８に示した容器１２については、ジュース、お茶等の飲料を入れた２リットル容量の大きさで、胴部１２ｃの横断面輪郭形状が横長四角形となる角型又はその角を切り落としたような略八角形状となる角型のペットボトル等からなる。容器１２は、胴部１２ｃは底部から所定の高さまでは筒芯軸１２ｄ方向に向けてほぼ同じ大きさで形成されるとともに、一端側の肩部分が注ぎ口１２ａに向けてテーパ状に次第に小さく形成されている。なお、注ぎ口１２ａには、ネジ式のキャップが着脱自在に装着できるようになっている。なお、容器の胴部の外周面に強度をもたせるために凹凸が形成されているものでもよい。また、図９に示した容器１２（１２Ｒ）は、例えば、胴部１２ｃの横断面輪郭形状が円形となる周知の丸型のペットボトル等からなる。また、図１０に示した容器１２（１２Ｓ）は、例えば、四角筒状の２リットル容量の紙パックからなり、紙パック１２Ｓの上部側に注ぎ口１２ｃが形成されている。なお、紙パックは、上部の封止接合された一部分を開いて注ぎ口を形成するタイプでもよい。さらに、把手装置を装着できる容器１２は、上述のものに限らず、例えば、胴部の横断面形状が三角形、五角形その他多角形、楕円又は長丸形状等、その他様々な形状の容器にも適用できる。また、容器１２の容量は、例えば、０．５〜２リットルまたはそれ以上の任意の大きさのものでもよい。
【００２６】
図１、図２、図４に示すように、ベルト１４は、例えば、天然又は化学繊維製の布材等の自在に撓む素材で形成されており、ある程度広い幅で長く形成された薄肉厚の長尺帯状部材からなる。図７に示すように、ベルト１４は、一つの面側を容器１２の外周面側に向けつつ該容器１２の筒芯軸１２ｄ方向に幅方向を向けながら容器１２の胴部１２ｃ回りに環状に巻き付けられ、締結装置１６を介して締結される。
【００２７】
図１、図５、図８に示すように、締結装置１６は、ベルト１４を容器１２の胴部回りに環状に巻き付けた状態を保持するように締結又は解除するベルトの締結手段である。締結装置１６は、環状にしたベルト１４を任意の位置で締結させるようになっており、容器１２の形状大きさに対応した任意の環の大きさで保持できるようになっている。本実施形態では、締結装置１６は、例えば、ベルト１４の一端１４ａに接続されたリング部材２２と、ベルト１４の締込保持機構２４と、を含む。
【００２８】
リング部材２２は、例えば、中央を孔貫通させて無端の隅丸四角枠状に形成された縦長の角環部材からなる。リング部材２２は、例えば、ベルト１４の一端部１４ａをリング孔２６内に通した状態で１つの縦長杆２２ａで折り返し係合させ縫製等により止着させてベルト１４の一端に接続されている。図５、図８に示すように、リング部材２２は、ベルト１４を容器１２の胴部１２ｃ周りに巻き付けた際に、ベルトの他端１４ｂをリング孔２６内に通し、他の縦長杆２２ｂに巻回するように折り返して係合される。
【００２９】
締込保持機構２４は、リング部材２２に係合させたベルト１４を締め込み状態で保持させるベルトの接続手段である。本実施形態では、締込保持機構２４は、例えば、ベルト１４の一つの面側に一体的に形成された面ファスナ２８、２９を含む。図１、図２に示すように、面ファスナ２８、２９は、ベルト１４を容器１２の胴部１２ｃに環状に巻き付けた際に、ベルト他端１２ｃを折り返さない状態での外面側に、雄材２８と雌材２９とがベルト長手方向に直列状に配置されている。例えば、ベルト１４の他端１４ｂ側の比較的短い範囲に面ファスナ雄材２８が面状に形成されており、その残りのベルト一端側１４ａまでの長い範囲には面ファスナ雌材２９が面状形成されている。図５、図８に示すように、ベルト１４の他端側１４ａをリング部材２２に通して折り返し係合させた状態でベルト１４を締込んで容器に係着させた状態で、その折り返したベルトの他端側１４ｂをベルト中間部分に重ね合わせて（図５上、仮想線）、該ベルト他端側の面ファスナ雄材２８をベルト中間位置部分の面ファスナ雌材２９に接続させて固定させる。また、ベルトの他端側１４ｂを引き剥がすと簡単に離脱させてベルト締結状態を解除させることができる。このようにリング部材２２、面ファスナ２８、２９を設けたことにより、力の弱い高齢者や子供等でも簡単にベルト１４を締め込んで容器１２に係着させた状態で、確実に容器への装着操作を行なえる。さらに、様々な容器１２の大きさ形状に合わせてベルト１４の締込みを無段階に調整することができ、装着操作性を向上させうる。なお、締込保持機構２４は、面ファスナに限らず、例えばバックル、ホック等の留め金等その他、任意の位置で締結、解除可能に締込み保持できるような構造であれば任意の構成でもよい。
【００３０】
図１、図２に示すように、あてがい状支持部材２０は、ベルト１４に取り付けられており、ベルト１４を容器１２へ環状に巻き付けた際に該容器１２の胴部外側面にあてがわれる当着部材である。そして、あてがい状支持部材２０は、把手部１８をベルト１４と協働して容器１２の胴部側方に固定状に支持させる容器への把手支持手段または把手取付手段を具体的に構成している。本実施形態では、あてがい状支持部材２０は、例えば、５個がベルト１４に係合して取り付けられている。あてがい状支持部材２０は、例えば、その本体部分が木材等のある程度強度がある剛性素材で形成されており、容器１２の筒芯軸１２ｄ方向に長い複数の棒状部材３０からなる。あてがい状支持部材２０は、図３、図４にも示すように、例えば、ベルト１４の幅方向Ｗに縦長く形成されており、ベルト１４の長手方向へは狭い幅で、さらにベルト１４の厚みよりも厚く形成された横断面矩形状の縦長棒体となっている。なお、本実施形態では、５個のうち４個のあてがい状支持部材２０は比較的細幅で同一形状で形成されているが、中央に配置された１個のあてがい状支持部材２０（２０Ｍ）のみは他の４個と比較して約２倍程度の横幅で形成されている。この中央の１個のあてがい状支持部材２０Ｍに把手部１８が固定されている。さらに、あてがい状支持部材２０には、その幅方向すなわち棒状部材３０の長手方向と直交する方向に貫通する通係孔３２が穿孔されている。通係孔３２は、あてがい状部材にベルトを通係させる孔であり、ベルト１４の断面大きさよりも若干大きい偏平矩形状に形成されている。あてがい状支持部材２０は、通係孔３２にベルト１４を貫通状に通係させることで該ベルト１４に対してスライド自在に係合しており、あてがい状支持部材２０をベルト１４の長手方向に自在に移動可能となっている。すなわち、あてがい状支持部材２０はベルト１４の長手方向に対する取付位置を変更可能に設けられている。これにより、図５の矢印にも示すように、ベルト１４に取り付けられた５個のあてがい状支持部材２０は、互いに近接させたり離隔させたりすることができ、容器１２の形状や大きさに応じてこれらのあてがい状支持部材のベルト係合位置を調整しながら、確実にあてがい状支持部材を容器にあてがわせて装着することができる。なお、あてがい状支持部材２０はある程度の厚みで形成されているので、図８に示すように、あてがい状支持部材２０の取付位置近傍ではベルト１４は容器１２には当着しておらずあてがい状支持部材２０のみが当接するようになっている。さらに、あてがい状支持部材２０は、ベルト１４の他端１４ｃ側に移動させてベルト１４から離脱させることもできる。例えば、図６に示すように、一部のあてがい状部材を離脱して、３個のあてがい状支持部材をベルト１４に取り付けた態様でも利用することができる。よって、容器の形状、大きさによって、あてがい状支持部材を取り付ける個数を調整でき、より広い態様で容器１２への装着を実現できる。なお、あてがい状支持部材２０の通係孔３２は、ベルトへの取付位置変更機構と着脱構成を同時に具現しているといえる。例えば、あてがい状支持部材２０の取り付け個数は、容器の容量が、５００ミリリットル等の比較的小型の場合には１個のみ、１リットルの中型の場合には２〜３個、１．５〜２リットル等の大型の場合には４〜５個など、容器のサイズに応じて増減調整するとよい。
【００３１】
図１、図４、図８に示すように、あてがい状支持部材２０には、容器１２の胴部１２ｃの外周面との当接側に弾性部３４が形成されている。弾性部３４は、例えば、天然ゴム又は合成ゴム等からなるスポンジゴム等の滑りにくい素材からなり、接着剤等により固定されている。弾性部３４は、容器１２の外周面に対して高摩擦力により滑り止め機能を発揮させるとともに、クッション性により容器１２の胴部の外周面が平面、曲面のいずれであっても密着状に当接させることができる。よって、把手装置１０がベルト１４とあてがい状支持部材２０により、容器１２の胴部周りにのみに係着させる構成であっても確実に装着状態を維持させることができる。
【００３２】
なお、あてがい状支持部材２０の構成は上述のものに限らない。例えば、図１３にはあてがい状支持部材の他の形態を示している。図１３では、あてがい状支持部材２０ａは、例えば、厚み方向に分割、組付け可能に２分割されて構成されている。あてがい状支持部材２０ａは、ベルト１４の容器へ巻き付けた際に内面側に配置される第１棒状要素３０１と、ベルト外面側に配置される第２棒状要素３０２と、を含む。そして、第１棒状要素２０１に面ファスナ雌材３７が、第２棒状要素２０２には面ファスナ雄材３６が、それぞれ取り付けられており、ベルト１４の任意の位置でそれらの第１、第２棒状要素３０１、３０２をベルトを挟み付けながら組み付けることにより、ベルト１４に取付けできる。図１３に示したあてがい状支持部材２０ａの構成では、上述の通係孔３２を設けた構成に比べて構造が若干複雑になるが、着脱操作する際にベルトの中間位置で任意のあてがい状支持部材を自由に着脱ができる。なお、第１、第２棒状要素３０１、３０２を組み付け構成は、例えば、ボルトナット又はクランプ機構等により締め付ける構成や、その他任意の接続装置でもよい。また、あてがい状支持部材は、例えば、棒状部材３０とベルト１４とを面ファスナで着脱する構成としてもよい。
【００３３】
図１、図３、図７に示すように、把手部１８は、使用者が実際に片手で握り持つことができる部位であり、例えば、あてがい状支持部材２０を介してベルト１４に取り付けられている。本実施形態では、把手部１８は、例えば、木材等の比較的強度のある剛性素材から形成され、略コ字状のハンドル部材からなる。把手部１８は、ベルト１４及びあてがい状支持部材２０を容器１２の胴部に取り付けた際に、容器から外側に向けて突設するように支持されている。把手部１８は、その握り軸１８ａが容器１２の筒芯軸１２ｄ方向に設定されている。把手部１８は、１つのあてがい状支持部材２０Ｍに接着又はネジや釘等の任意の固定手段で固定されている。なお、把手部１８やあてがい状支持部材２０を構成する棒状部材３０は、例えば、金属で形成してもよいが、金属の場合には装置全体の重量が大きくなったり、又は内容物を入れた容器を冷蔵庫で冷した場合に、把手部が冷たすぎて握れなかったり、低温による皮膚の損傷を生じるおそれもある。本実施形態では、木材で把手部１８やあてがい状支持部材２０を形成することにより、装置全体を軽量化できるとともに、把手部が冷えすぎるのを防止して、良好に使用することができる。なお、把手部１８は、コ字状のものに限らず、例えば、Ｌ字状や円弧状に曲成された形状、又は手指形状に対応して凹凸が形成されたもの等その他任意のもので良い。
【００３４】
次に、図５ないし図１２を参照しつつ本実施形態に係る容器の把手装置１０を作用について説明する。例えば、図７、図８に示すように、把手装置１０を角型のペットボトルからなる容器１２に装着する場合には、あてがい状支持部材２０の弾性部３４を容器の胴回りに当接させつつベルトを環状に巻き付ける。この際、図５に示すように、容器の形状大きさに対応して、それぞれのあてがい状支持部材２０をスライド移動させてベルト１４の長手方向に対する取付位置を自由に調整できる。ベルトの一端側１４ａのリング部材２２にベルト他端側１４ｂを通し、そのベルト１４を折り返して該リング部材２２に係合させながら引っ張ると、ベルト１４が締め込まれ該ベルト１４及びあてがい状支持部材２０が容器１２の胴部の外周面に密着当接される。この状態で、ベルト１４に一体形成された面ファスナ２８、２９を介して、折り返したベルトの他端をベルトの中間部分に接続して締込み状態を保持させて、把手装置１０を容器１２に装着させる。このようにして、高齢者や子供等であっても簡単にかつ確実に把手装置１０を容器１２に取り付けることができる。把手装置１０を装着した状態では、締込み保持して締結されたベルト１４と複数のあてがい状支持部材２０とが協働して把持部１８が容器の胴部側方に固定状に支持される。また、容器１２が、例えば図９に示すように胴部周りの横断面形状が円形となる丸型の１．５リットル容量のペットボトルの場合や、例えば図１０に示すように胴部周りの横断面形状が矩形状となる２リットル容量の紙パックの場合、又は三角形状、四角形、五角形状等その他種々の形状、大きさであっても、把手装置１０をその形状に対応して上記同様の操作で装着することができる。よって、１つの把手装置１０だけで多様な容器に対応して装着でき、高い汎用性を実現しうる。なお、本実施形態では、５個のあてがい状支持部材２０は、互いに比較的近い位置でベルトに係合しているが、容器１２の胴部周りに均等又は不規則に配置させてもよい。
【００３５】
図１１に示すように、把手装置１０を装着した容器１２を持って内容物をコップ等に注ぐ際には、例えば把手部１８を片手で握り安定的に持った状態で注ぐことができる。また、例えば図１２に示すように、把手部１８の孔部分に手指を差し入れても比較的安定した状態で持って注ぐことができる。したがって、把手部１８により、手の力が弱い高齢者、子供や手を怪我している者等であっても、大きくて重い容器１２を楽に持って、簡単に持ち運んだり、注いだりすることができ、使い勝手を向上させる。また、把手部１８を手で持った際に把手部付近に強い力がかかっても、上記のように装着させたベルト１４とあてがい状支持部材２０とにより把手部１８が容器１２に対してふらついたり、容器が変形して内容物が飛び出したりすることもなく、良好に使用できる。さらに、あてがい状支持部材２０に形成された弾性部３４により、把手装置１０が容器１２に対して滑って離脱するのを防止し、確実に装着状態を保持できる。容器１２内の内容物を消費してしまった後には、装着手順と逆にベルト１４の面ファスナ２８、２９を分離させて把手装置１０を容器１２から簡単に取外すことができ、他の新しい容器に繰り返し使用することができる。また、取り外した把手装置１０のみを保管、持ち運ぶ際には、ベルトが自在に撓むのでコンパクトにした状態で場所をとることなく、簡単に保管管理できる。
【００３６】
以上説明した本考案の容器の把手装置は、上記した実施形態のみの構成に限定されるものではなく、実用新案登録請求の範囲に記載した本考案の本質を逸脱しない範囲において、任意の改変を行ってもよい。
【産業上の利用可能性】
【００３７】
本考案の容器の把手装置は、例えば、丸型、角型のペットボトルやその他プラッスチック容器、紙パック、ガラスビン等の様々な形状、大きさの筒状容器に簡単に取り付けて利用することができる。
【符号の説明】
【００３８】
１０    把手装置
１２    容器
１４    バンド
１６    締結装置
１８    把手部
２０    あてがい状支持部材
２２    リング部材
２４    締込保持機構
２６    リング孔
２８    面ファスナ雄材
２９    面ファスナ雌材
３０    棒状部材
３２    通係孔
３４    弾性部
【図１】
0003159602.tif 000003
【図２】
0003159602.tif 000004
【図３】
0003159602.tif 000005
【図４】
0003159602.tif 000006
【図５】
0003159602.tif 000007
【図６】
0003159602.tif 000008
【図７】
0003159602.tif 000009
【図８】
0003159602.tif 000010
【図９】
0003159602.tif 000011
【図１０】
0003159602.tif 000012
【図１１】
0003159602.tif 000013
【図１２】
0003159602.tif 000014
【図１３】
0003159602.tif 000015